(57)【要約】【課題】ゴミが付着して汚れた粘着テープを剥ぎ取る作業を不要にし、新たな粘着テープをその都度巻き取れるようにし、ゴミを取る掃除面が局所的の場合には、手軽に狙ったゴミを付着させ、広い範囲の場合には、掃除面全体を転がして掃除が出来るようにする。【解決手段】粘着テープロール１を有する粘着テープホルダー３と、巻取り芯ホルダー４と、支持筐体１５と、テープガイド５と、制動器６とを備えている。掃除面を転がして掃除を可能にするために、２セット用意し、該２セットの支持筐体同士を対称位置に形成し、外周部の粘着テープが円周に近似することを特徴とする粘着テープ掃除具。【選択図】図６
2011206089.tif 000002
【特許請求の範囲】
【請求項１】
粘着テープロール（１）を装着する粘着テープホルダー（３）と、粘着テープ（２）の粘着面を外側にして巻き取る巻取り芯ホルダー（４）と、粘着テープ（２）を該粘着テープホルダー（３）から該巻取り芯ホルダー（４）へ粘着テープ（２）を案内するテープガイド（５）と、粘着テープホルダー（３）と巻取り芯ホルダー（４）とを装着するための平行配置された軸を有する支持筐体（１５）と、該軸の芯ブレを防ぐ為と粘着テープの送りを制御する為の制動器（６）と、支持筐体（１５）と着脱可能な接続子（１１）と、接続子（１１）に着脱可能な把手ａ（１２）とを備え、局所的にあるゴミに対し、該粘着テープ掃除具を半円状に動かして除去することを特徴とする粘着テープ掃除具。
【請求項２】
請求項１記載の部材の内、接続子（１１）と把手ａ（１２）とを外した部材を２式と、一つの接続子（１１）と、可動な把手ｂ（１３）とを備え、該部材を円形に形成し、広い掃除面を転がして除去することを特徴とする粘着テープ掃除具。
【発明の詳細な説明】
【技術分野】
【０００１】
本発明は、粘着面を外側にしてロール状に巻いた粘着テープロールをカーペット等の上で転がし、カーペット等のゴミ・毛髪を粘着テープの粘着面に付着させて除去する粘着テープ掃除具に関するものである。詳しくは、使用中にゴミ・毛髪等の付着により粘着力が低下した場合、使用済み粘着テープを直接触ることなく、その都度巻き取って、新しい粘着テープ面を出すことが出来る粘着テープ掃除具に関する。
【背景技術】
【０００２】
従来の粘着テープ掃除具は、一般に販売されている商品で、粘着テープロールを把手に有する回転軸部に取付けたものである。粘着テープはゴミが付着して粘着力が低下すると、粘着テープを１回転分ずつ切れ目で切り離して剥がし、新しい粘着面を出しては使用している。粘着テープを剥がす際、粘着テープの先端がしっかりと次の層のロールに貼り付いており、さらに粘着テープの先端を隠すようにゴミ・毛髪等が付着したりするので、剥がすのが容易ではなく、汚い粘着面に手で直接触れるのことがあるので非衛生的でもある。
【０００３】
特許文献１は、ゴミが付着した粘着テープを剥ぎ取る作業を不要にする為に、把手を持って前方に動かしたときは、前側のローラが掃除面に接触して回転して粘着テープを巻き取り、把手を持って後方に動かしたときは、後側のローラが掃除面に接触して回転して粘着テープを巻き取ることを特徴としている。この技術は粘着テープ掃除具を前後に動かすごとに粘着テープが巻き取りまたは巻き戻されてゴミが除去される。粘着力が無くなったら該掃除具を前方向のみに動かして新たな粘着テープ面を出し、再度前後に動かして掃除を行う。しかし、この技術の問題は、掃除面にあるゴミの分布が一様でなく部分的に偏在しているとき、該掃除具を動かすたびにゴミの付着量が異なることになり、既に使用済みの巻取りロールの積層内のゴミの付着密度はバラツキを生じ、全体としてのゴミ収集量が小さくなることである。
【０００４】
また特許文献２には、同様な構成で粘着テープを掃除面に接する円筒外周を経由して巻き取る方式である。粘着テープの行程が長いため粘着テープを巻き取る際の力と円筒外周部にある粘着テープの弛みを防ぐために複雑で高価なギヤボックスを有している。この技術の問題は、粘着テープの行程が長いために巻き取りに強い張力を必要とし、粘着テープが切れることが心配される。また、初めに粘着テープを装着する時、粘着テープが予定外のところに付着して装着を困難にすることが考えられる。また、複雑なギヤボックス等を用いているので、保守が難しくなり、簡単に使用できる掃除具に適わない。
【先行技術文献】
【特許文献】
【０００５】
【特許文献１】特開平２００８−１６８１０７号公報
【特許文献２】特開平２００２−７８６６４号公報
【発明の概要】
【発明が解決しようとする課題】
【０００６】
本発明は以上に述べた実情に鑑み、ゴミが付着して汚れた粘着テープを剥ぎ取る作業を不要にし、新たな粘着テープをその都度巻き取れるようにしたことと、ゴミを取る掃除面が局所的の場合は、手軽に狙ったゴミを付着させて取ることと広い範囲の場合は、掃除面全体を転がして付着させてとることとに分けて効果的に使える粘着テープ掃除具の提供を目的とする。
【課題を解決するための手段】
【０００７】
上記の課題を達成するために請求項１記載の発明による粘着テープ掃除具は、その都度、粘着テープを巻き取るために、粘着テープロールを装着する粘着テープホルダーと、粘着テープの粘着面を外側にして巻き取る巻取り芯を装着する巻取り芯ホルダーと、粘着テープを粘着テープホルダーから巻取り芯ホルダーへ粘着テープを案内するテープガイドと、粘着テープホルダーと巻取り芯ホルダーとを装着するための平行配置された軸を有する支持筐体と、粘着テープの送りを制御する為の制動器と、支持筐体を動かすための把手とを備え、粘着テープロールから巻取り芯ホルダーに巻き取るには、制動器を緩めて巻取り芯ホルダーの端部を手で回して巻き取り、必要量だけ巻き取ったら制動器の制動を強めて粘着テープを動かないように固定することを特徴としている。ここで粘着テープホルダーとは粘着テープロールを容易に着脱することが出来るが、装着後は粘着テープロールが空回りしないことが望ましい。また同様に、芯ホルダーとは巻取り芯を容易に着脱することが出来るが、装着後は巻取り芯と一体となって動く。また、二つの該ホルダーは端面部分に回転トルクを与える滑り止め付きの手巻き部分を有している。また、制動器は該ホルダーの端面に接触しており、その接触している面の圧力により回転の摩擦力が変り、該ホルダーの回転又は停止を可能にすることを特徴とする。
【０００８】
請求項２記載の発明による粘着テープ掃除具は、掃除面を転がして掃除を可能にするために、請求項１記載の粘着テープ掃除具を２セット用意し、該２セットの支持筐体同士を対称位置に形成し、外周部の粘着テープが円周に近似することを特徴とする粘着テープ掃除具。
【発明の効果】
【０００９】
粘着テープロールおよび巻取りロールは各々のホルダーにきつく嵌合されて一体化し、支持筐体の各々の軸に挿入され、回転が可能である。制動器は支持筐体の２個の軸に挿入され、粘着テープホルダーと巻取り芯ホルダーとの端面に接して置かれる。その端面に掛かる圧力を変えることにより制動器とホルダーとの摩擦抵抗が変えられる。制動器を軸方向に締め付けると接触圧力が大きくなり、粘着テープロールおよび巻取りロールは回転が出来なくなり、また、制動器の締め付けを緩めると圧力が小さくなり、粘着テープロールおよび巻取りロールは自由に回転が出来る。粘着テープの粘着力がなくなったとき、制動器を緩め、巻取りホルダーの端部の円周部を指で回して使用済みテープを巻き取り、その結果、粘着テープロールから新たな粘着テープが必要量だけ引出すことが出来る。
【図面の簡単な説明】
【００１０】
【図１】図１は本発明の粘着テープ掃除具の基本形の正面図である。
【図２】図２は図１の平面図である。
【図３】図３は粘着テープホルダーおよび巻取り芯ホルダーの部分断面図である。
【図４】図４は請求項２記載の実施例の正面図である。
【図５】図５は図４の平面図である。
【図６】図６は請求項２記載の実施例の正面図である。
【図７】図７は図６の平面図である。
【発明を実施するための形態】
【００１１】
以下、本発明の実施の形態を図面に基づいて説明する。図１、図２は、本発明の粘着テープ掃除具の基本的な部分の一実施形態を示す正面図と平面図である。粘着テープ掃除具の基本的な部分は、粘着テープロール１を有する粘着テープホルダー３と、巻取り芯ホルダー４と、支持筐体１５と、テープガイド５と、制動器６とを備えている。粘着テープホルダー３および巻取り芯ホルダー４は、図３に示すように、各々の中空芯の両端に挿入したホルダーａ９とホルダーｂ１０とを備えている。図１、図２の支持筐体１５には、回転軸ａ１９、ｂ２０を固設する指示部材１６と、支柱２３およびフレーム１７を固設するアーム１８とを備えている。制動器６は、板部材７と、蝶ナット８とを備えている。図４、図５は、請求項１に属し、前記の基本的な部分に加えて、接続子１１と、把手ａ１２を備えている。図６、図７は、請求項２に属し、基本的な部分の２セットと、接続子１１と、把手ｂ１３とを備えている。
【００１２】
粘着テープホルダー３は、図３に示すように、中空の芯を有した粘着テープロール１の両端にホルダーａ９とホルダーｂ１０とが圧入される。同様にして、巻取り芯ホルダー４は、粘着テープ２を巻き取る円筒中空の芯、例えば粘着テープロール１を使い切って残った芯、の両端に圧入したホルダーａ９とホルダーｂ１０とを備えている。それらのホルダーａ９、ｂ１０の圧入部分には、円筒外周部に複数個のスリットを有し、圧入時、内側にバネ効果にて歪んで挿入され、ホルダーａ９に与えられるトルクがスリップせずに芯に伝達することを可能にしている。また、ホルダーａ９には、指による巻取りがし易いように、圧入部の反対側の外周部に滑り止め、例えばローレット処理、を有している。
【００１３】
支持筐体１５は、図１、図２に示すように、支持部材１６を有し、支持部材１６の両端に回転軸ａ９、ｂ１０が固設される。回転軸ａ９、ｂ１０は、支持部材と固設された反対側の先端付近部分に蝶ナット８と嵌め合うネジ部を有する。回転軸ａ９には粘着テープホルダー３が挿入され、回転軸ｂ１０には巻取り芯ホルダー４が挿入される。支持部材１６の中間位置に回転軸ａ９、ｂ１０方向にアーム１８があり、そのアーム１８には、掃除面方向にテープガイド５を固設するフレーム１７と、掃除面と反対方向に接続子とワンタッチで着脱する２本の支柱２３がある。回転軸ａ９、ｂ１０およびテープガイド５は、お互いに平行度を有している。
【００１４】
テープガイド５は、粘着テープホルダー３から引出された粘着テープ２がスムースに巻取り芯ホルダー４に巻き取るためにある。該テープガイド５の外周形状が部分円形を有し、狙った掃除面上を押し付け、揺することで、効果的にゴミを付着させることが出来る。また、本来の粘着テープロール１の外周面積に対して、更に該テープガイド５の面積分が加わることで、ゴミの付着する面積が大きく出来ることを特徴とする。
【００１５】
制動器６は、図２に示すように、板部材７と２個の蝶ナット８から形成される。該板部材７には、粘着テープホルダー３と巻取り芯ホルダー４との間隔に合わせた孔が両端に有する。粘着テープホルダー３および巻取り芯ホルダー４がそれぞれの回転軸ａ（１９）、回転軸ｂ（２０）に挿入された後、該板部材７が挿入され、そして、それぞれに蝶ナット８が挿入され、固定される。固定状態の蝶ナット８の締付けを強めると、粘着テープホルダー３及び巻取り芯ホルダー４の端面と板部材との接触圧力が増し、回転の摩擦抵抗が増すことになり、回転が出来なくなる。それとは逆に、粘着テープ２を巻き取る場合、蝶ナット８の締付けを緩めると、その摩擦抵抗が減り、回転が可能になり、粘着テープ２は巻取り芯ホルダー４に巻き取られる。粘着テープ掃除具の使用前準備において、新たな粘着テープロール１の装填と使用済み巻取り芯の交換時には、この制動器６を外し、粘着テープホルダー３および巻取り芯ホルダー４を回転軸から外してから新旧の粘着テープロール１の交換を行う。
【００１６】
接続子１１には、図４に示すように、図１の支柱２３と嵌め合う２個の挿入孔２１と把手を付ける２個の挿入孔２１とがある。その支柱２３と嵌め合う孔の内側には、支柱の先端部に設けられた溝に嵌るバネ付きの突起物２２、例えばプランジャー止めネジ等、が設けられ、ある限界力を超えると支柱２３の挿入又は抜きができる。その結果、容易に着脱を可能にし、使用する形態を変更することが出来る。図４、図５に示すように使用する場合には、その接続子１１の挿入孔に片側から図２の基本形の支柱２３が嵌り、さらに、その挿入孔２１の反対側から２本の支柱２３を有する把手ａ１２の支柱２３が嵌る。図６、図７に示すように使用する場合には、その接続子１１の挿入孔２１の両側から、図１、図２の基本形２式の支柱２３が嵌り、接続子１１の長手方向の両端の孔には把手ｂ１３に軸を付けて転がせるようにする。
【００１７】
量産を目的として、支持筐体１５を構成する部材、１６、１７、１８、２３およびテープガイド５の部材は、一つの部材、例えば材質を合成樹脂など、にすることができる。
【符号の説明】
【００１８】
１    粘着テープロール
２    粘着テープ
３    粘着テープホルダー
４    巻取り芯ホルダー
５    テープガイド
６    制動器
７    板部材
８    蝶ナット
９    ホルダーａ
１０  ホルダーｂ
１１  接続子ａ
１２  把手ａ
１３  接続子ｂ
１４  把手ｂ
１５  支持筐体
１６  支持部材
１７  フレーム
１８  アーム
１９  回転軸ａ
２０  回転軸ｂ
２１  挿入孔
２２  突起物
２３  支柱
【図１】
2011206089.tif 000003
【図２】
2011206089.tif 000004
【図３】
2011206089.tif 000005
【図４】
2011206089.tif 000006
【図５】
2011206089.tif 000007
【図６】
2011206089.tif 000008
【図７】
2011206089.tif 000009